(57)【要約】【課題】  種類や形態の異なる遊技機に装着可能な汎用性を備えた遊技機の施錠装置を提供する。【解決手段】  遊技機本体又は前面扉のいずれかに取着される縦長の支持基板１を上側基板１Ａと下側基板１Ｂとによって形成し、これらを連結部材１Ｃによって着脱自在とし、支持基板に上下動可能に設けられる施錠杆２も上側杆２Ａと下側杆２Ｂとによって形成し、これらを連結部材２Ｃによって着脱自在に構成している。さらに、施錠杆に装着される複数の鉤部材３，４についても着脱自在になっている。これにより、装着する遊技機の形態に応じて、支持基板、施錠杆、又は鉤部材を選択的に用いることができるようにしている。【選択図】  図１
2018114150.tif 000002
【特許請求の範囲】
【請求項１】
遊技機本体の前側に前面扉が開閉自在に装着されている遊技機の施錠装置であって、
前記遊技機本体又は前記前面扉のいずれかに取着される縦長の支持基板と、前記支持基板に上下動可能に設けられる施錠杆と、前記施錠杆に設けられ前記前面扉又は前記遊技機本体のいずれか又は双方に係合するフック部を有する複数の鉤部材と、前記施錠杆を付勢するための弾性部材とを備え、
前記支持基板は上側基板と下側基板とを有し、これら上側基板と下側基板は連結部材によって着脱自在に構成されており、前記施錠杆は上側杆と下側杆とを有し、これら上側杆と下側杆は連結部材によって着脱自在に構成されており、前記複数の鉤部材は前記施錠杆に着脱自在に設けられ、
装着する遊技機の形態に応じて、前記支持基板の上側基板と下側基板を連結若しくは分割し、前記施錠杆の上側杆と下側杆を連結若しくは分割し、さらに前記複数の鉤部材を前記施錠杆に対し選択的に取着できるようにしたことを特徴とする遊技機の施錠装置。
【請求項２】
前記複数の鉤部材の基端部側に支承部を形成し、該支承部を前記施錠杆に支承させることで、前記鉤部材を前記施錠杆に装着できるようにしたことを特徴とする請求項１記載の遊技機の施錠装置。
【請求項３】
前記支持基板に溝部を形成し、該溝部内に前記施錠杆を上下動可能に設けると共に該施錠杆に装着される前記複数の鉤部材の支承部を遊嵌させるようにしたことを特徴とする請求項２記載の遊技機の施錠装置。
【発明の詳細な説明】
【技術分野】
【０００１】
本発明は遊技機に装着される施錠装置に関するものである。
【背景技術】
【０００２】
遊技機本体に前面扉が開閉自在に軸着されているパチンコ遊技機やスロットマシン等の遊技機には施錠装置が装着されているが、こうした施錠装置の一般的なものとして、遊技機本体又は前面扉の側面に、鉤部が形成された施錠杆を摺動自在に設けているものが広く知られている。そして、遊技機の前面から鍵を操作することで施錠杆が上下動するようにし、この上下動によって、施錠された遊技機本体、若しくは前面扉を開錠し得るようにしている。
【先行技術文献】
【特許文献】
【０００３】
【特許文献１】特開２０１２−５０７０８号公報
【特許文献２】特開２０１３−１３５８２号公報
【特許文献３】特開２００３−４７６９０号公報
【発明の概要】
【発明が解決しようとする課題】
【０００４】
もっとも、一般的な遊技機の施錠装置は、鉤部が形成された施錠杆を摺動自在に設けるという基本的な構成が同じであるにも拘わらず、装着する遊技機の種類や形態毎に設計を変更し、そうした違いに応じて製造する必要があった。例えば、特許文献１に示されたパチンコ遊技機の場合、外枠及び本体枠からなる遊技機本体と前面扉とを有しているため、施錠対象としては、前面扉を本体枠に施錠すると共に、本体枠を外枠に施錠することが必要となる。従って、施錠杆に形成する鉤部は、前面扉施錠用に前方へ突出させたものと、本体枠施錠用に後方へ突出させたものとが必要になる。これに対し、特許文献２に示されたスロットマシンの場合、その施錠対象として、前面扉を遊技機本体に対して施錠するのみで足りるので、必然的に施錠杆に形成される鉤部も後方へ突出させたもののみで足りる。また、同じスロットマシンでも、前面扉の形態が異なっているものがある。すなわち、特許文献３に示されているものは、特許文献２に示されているものと異なり、前面扉が上下に２分割されているため、必然的に、鉤部が形成された施錠杆を上側の前面扉と下側の前面扉のそれぞれに装着する必要がある。こうした理由から、遊技機の施錠装置は、基本的構成が同じであるにも拘わらず、異なる種類や形態の遊技機毎に設計・製造しなければならないという問題が生じていた。
【０００５】
そこで、本発明は、種類や形態が異なるあらゆる遊技機に対応可能な汎用性を備えた遊技機の施錠装置を提供することを目的としている。
【課題を解決するための手段】
【０００６】
上記のような課題を解決するために本発明に係る遊技機の施錠装置は、遊技機本体の前側に前面扉が開閉自在に装着されている遊技機の施錠装置であって、前記遊技機本体又は前記前面扉のいずれかに取着される縦長の支持基板と、前記支持基板に上下動可能に設けられる施錠杆と、前記施錠杆に設けられ前記前面扉又は前記遊技機本体のいずれか又は双方に係合するフック部を有する複数の鉤部材と、前記施錠杆を付勢するための弾性部材とを備え、前記支持基板は上側基板と下側基板とを有し、これら上側基板と下側基板は連結部材によって着脱自在に構成されており、前記施錠杆は上側杆と下側杆とを有し、これら上側杆と下側杆は連結部材によって着脱自在に構成されており、前記複数の鉤部材は前記施錠杆に着脱自在に設けられ、装着する遊技機の形態に応じて、前記支持基板の上側基板と下側基板を連結若しくは分割し、前記施錠杆の上側杆と下側杆を連結若しくは分割し、さらに前記複数の鉤部材を前記施錠杆に対し選択的に取着できるようにしたことを特徴としている。
【０００７】
また、本発明に係る遊技機の施錠装置は、前記支持基板に溝部を形成し、該溝部内に前記施錠杆を上下動可能に設けると共に該施錠杆に装着される前記複数の鉤部材の支承部を遊嵌させるようにしたことを特徴としている。
【発明の効果】
【０００８】
本発明に係る遊技機の施錠装置は、種類や形態の異なる遊技機に対応可能な汎用性を備えている。すなわち、支持基板が上側基板と下側基板とからなり、これらを連結部材によって着脱自在にしていると共に、施錠杆も上側杆と下側杆とからなり、これを連結部材によって着脱自在にしていることから、例えば、前面扉が一枚に形成されているタイプのもののみならず、上下に２分割されているタイプのものにも対応可能である。また、複数の鉤部材を施錠杆に着脱自在に設け、装着する遊技機の種類に応じて選択的に取着できることから、鉤部材の取付位置を自由に変更することができると共に、その取付数を自由に選択ことが可能である。
【図面の簡単な説明】
【０００９】
【図１】施錠装置Ｒの分解斜視図。
【図２】パチンコ遊技機Ｐ１の正面斜視図。
【図３】施錠装置Ｒ１の背面図と左側面図。
【図４】パチンコ遊技機Ｐ２の正面斜視図。
【図５】施錠装置Ｒ２の背面図と左側面図。
【図６】スロットマシンＳ１の正面斜視図。
【図７】施錠装置Ｒ３の背面図と左側面図。
【図８】スロットマシンＳ２の正面斜視図。
【図９】施錠装置Ｒ４の背面図と左側面図。
【発明を実施するための形態】
【００１０】
以下、本発明の実施の形態に係る遊技機の施錠装置Ｒについて、図面を参照しながら説明する。なお、本発明に係る施錠装置Ｒは、パチンコ遊技機、スロットマシン等の種々の遊技機に適用可能であり、施錠装置Ｒを装着する遊技機に応じて、施錠装置Ｒ自体の形態を異ならせ、且つ必要な構成部材を取捨選択的に使用することができる。そこで、まず、図１に基づいて、施錠装置Ｒのすべての構成部材について説明する。
【００１１】
前記施錠装置Ｒは、遊技機本体又は前面扉のいずれかに取着される縦長の支持基板１と、支持基板１に上下動可能に設けられる施錠杆としての施錠ロッド２と、施錠ロッド２に設けられ前面扉又は遊技機本体のいずれか又は双方に係合するフック部を有する複数の鉤部材３，４と、施錠ロッド２を付勢するための弾性部材５と、施錠ロッド２の抜け止めとしての役割と鉤部材３，４を移動させる押圧部材としての役割を有するＥリング６と、遊技機の形態に応じて取捨選択的に取着される各種構成部材とによって概略構成されている。
【００１２】
前記支持基板１は、縦長な金属製の帯板からなる上側基板１Ａと下側基板１Ｂとからなり、これらは連結部材としての連結板１Ｃによって着脱自在に構成されている。支持基板１をこのように構成したことにより、装着する遊技機によって、上側基板１Ａと下側基板１Ｂを連結した状態で使用するか、あるいは、分割した状態で使用するかを選択することが可能になっている。なお、遊技機に応じた具体的な使用方法の選択については、後に詳しく説明する。前記上側基板１Ａと前記下側基板１Ｂは、図１に示されているように、いずれもその前側縁と後側縁に直角に折曲した細幅の側壁部１０，１１が形成されていると共に、その前側部に、上下方向に沿った両端部が開放する断面コ字型の溝部１２が形成されている。この溝部１２には、施錠ロッド２が軸支されると共に、この施錠ロッド２に装着される鉤部材３，４や後述するその他の構成部材の支承部が遊嵌されるようになっており、このうち、鉤部材３，４については、これらを上下に摺動させるためのスペースとなっている。また、上側基板１Ａと下側基板１Ｂには、施錠ロッド２を軸支するための軸受部が形成されている。すなわち、上側基板１Ａには、その前側の側壁部１０の一部を溝部１２内に入り込むように切り起こした軸受部１３ａ，１３ｂ，１３ｃが３箇所形成されており、下側基板１Ｂには、その前側の側壁部１０の一部を溝部１２内に入り込むように切り起こした軸受部１３ｄ，１３ｅ，１３ｆが３箇所形成されていると共に、溝部１２の底部を切り起こした軸受部１３ｇが形成されている。さらに、上側基板１Ａの溝部１２の後縁であって、軸受部１３ａ〜１３ｂの近傍には鉤部材４の移動をガイドする案内片部１４ａ〜１４ｄが、下側基板１Ｂの溝部１２の後縁であって、軸受部１３ｅ〜１３ｇの近傍には鉤部材４の移動をガイドする案内片部１４ｅ〜１４ｈが突出形成されている。また、上側基板１Ａと下側基板１Ｂの前側の側壁部１０には、鉤部材３のフック部３ａを移動させるためのスペースとして矩形状に切り欠かれたフック部用凹部１５が３箇所形成されており、上側基板１Ａと下側基板１Ｂの後側の側壁部１１には鉤部材４のフック部４ａを移動させるためのスペースとして矩形状に切り欠かれたフック部用凹部１６が４箇所形成されている。さらに、上側基板１Ａと下側基板１Ｂのフック部用凹部１６の近傍に螺子挿通孔１７が穿設されている。また、上側基板１Ａの下端部には、連結用孔１８Ａが穿設されており、下側基板１Ｂの上端部には連結用孔１８Ｂが穿設されている。
【００１３】
前記連結板１Ｃは、矩形状の金属板であり、その前側縁と後側縁に直角に折曲した細幅の当接壁部１９，２０が形成されていると共に、その前側部に溝部２１が形成されている。また、連結板１Ｃの上端部と下端部のそれぞれに連結用孔２２Ａ，２２Ｂが穿設されている。なお、連結板１Ｃの幅方向の長さは、支持基板１の側壁部１０，１１の内法よりもやや短くなるように設定されており、連結板１Ｃを支持基板１の内側に配置すると、連結板１Ｃの当接壁部１９，２０が支持基板１の側壁部１０，１１の内側に当接するようになっている。
【００１４】
前記施錠ロッド２は、縦長な金属製の丸棒からなる上側杆としての上側ロッド２Ａと下側杆としての下側ロッド２Ｂとからなり、これらは連結部材としての連結筒２Ｃによって着脱自在に構成されている。上側ロッド２Ａは上側基板１Ａと略同じ長さに設定されており、その下端部に雄螺子２３Ａが形成されている。また、下側ロッド２Ｂは下側基板１Ｂと略同じ長さに設定されており、その上端部に雄螺子２３Ｂが形成されている。さらに、連結筒２Ｃは、その内部が中空の筒体でその内周面に雌螺子が形成されている。そして、施錠ロッド２をこのように構成したことにより、支持基板１として上側基板１Ａと下側基板１Ｂを連結した状態で使用する場合には上側ロッド２Ａと下側ロッド２Ｂを連結し、支持基板１として上側基板１Ａと下側基板１Ｂを分割した状態で使用する場合には上側ロッド２Ａと下側ロッド２Ｂを分割して使用することができるようになっている。なお、下側ロッド２Ｂの上端部よりの位置と下端部よりの位置に施錠杆移動用部材２５，２６が固着されている。この施錠杆移動用部材２５，２６は、その基端部側に施錠ロッド２に嵌合させる取着部としての筒状部２５ａ，２６ａが形成されており、その先端側に後述するシリンダ錠の錠軸に固設された係合部材と係合する係合部２５ｂ，２６ｂが形成されている。ちなみに、この施錠杆移動用部材２５，２６は、施錠ロッド２に筒状部２５ａ，２６ａを挿入し、該筒状部２５ａ，２６ａをかしめることで固着することができるようになっている。従って、施錠杆移動用部材２５，２６は、施錠ロッド２の任意の位置に移動させ、必要な箇所に固着することができる。
【００１５】
前記鉤部材３，４は、施錠ロッド２に装着される部材で、前方へ突出するように装着される前面扉用鉤部材３と、後方へ突出するように装着される本体用鉤部材４の２種類のものが存在している。このうち、前面扉用鉤部材３の先端部側には、下向き鉤状のフック部３ａが形成されており、これが遊技機の前面扉に設けられた係止部に係止されることになる。また、前面扉用鉤部材３の基端部側には、施錠ロッド２を当接させる二股状の支承部３ｂが形成されている。なお、前面扉用鉤部材３が施錠ロッド２に装着される場合、その支承部３ｂが支持基板１の溝部１２内に位置し該溝部１２内で上下に摺動することになる。他方、本体用鉤部材４の先端部側には、上向き鉤状のフック部４ａが形成されており、これが遊技機本体に設けられた係止部に係止されることになる。また、本体用鉤部材４の基端部側には、施錠ロッド２を遊嵌させる長溝状の支承部４ｂが形成されている。なお、本体用鉤部材４が施錠ロッド２に装着される場合、その支承部４ｂが支持基板１の溝部１２内に位置し該溝部１２内で上下に摺動することになる。さらに、本体用鉤部材４の中央部には、ネジ２７の軸を遊嵌させる長孔２８が開設されている。なお、本体用鉤部材４を施錠ロッド２に装着するにあたっては、同時に長孔２８にネジ２７の軸を貫挿し、このネジ２７の軸を支持基板１の螺子挿通孔１７に螺着する。このように、螺子２７を支持基板１に螺着することにより、本体用鉤部材４は、長孔２８の範囲内において上下に移動可能になる。
【００１６】
その他、施錠ロッド２には、複数のコイル状の圧縮バネ５が外嵌されていると共に、複数のＥリング６が固着される。
【００１７】
なお、施錠装置Ｒは、基本的なものとして上記構成部材から成っているが、さらに、施錠装置Ｒを装着する遊技機の形態に応じて、選択的に装着する構成部材が存在している。これらの部材は、図１の右側、具体的には、図１に示された施錠ロッド２の右側に位置しているものが該当する。このうち、一番下に示されている部材から順に説明すると、当該部材は、施錠ロッド２（下側ロッド２Ｂ）の下方に装着された施錠杆移動用部材２６の移動を案内するためのガイド部材３０である。このガイド部材３０は、支持基板１（下側基板１Ｂ）に装着するための矩形状の取付部３１と、下側基板１Ｂの溝部１２を覆う矩形状の蓋部３２と、蓋部３２の上下両端部のそれぞれを直角に屈曲して溝部１２内に入り込むようにした二股状の支承部３ｂと、蓋部３２の前面に開設され施錠杆移動用部材２６の係合部２６ｂを突出させるための矩形状の案内開口３４と、案内開口３４の一側縁に起立し施錠杆移動用部材２６を摺動させる案内片３５とによって構成されている。そして、ガイド部材３０は、その取付部３１のネジ孔にネジを螺着することで下側基板１Ｂに取り付けられるようになっている。図１中、ガイド部材３０の上に示されている部材は、前面扉の閉止状態を検知する前面扉開閉センサー３７である。この前面扉開閉センサー３７は、先端部側にＬ字型のセンサー取着部３７ａが形成されており、基端部側に施錠ロッド２（下側ロッド２Ｂ）に当接させる二股状の支承部３７ｂが形成されている。さらに、図１中、前面扉開閉センサー３７の上に示されている部材は、シリンダ錠ユニット３９である。このシリンダ錠ユニット３９は、支持基板１（下側基板１Ｂ）に装着するための矩形状の取付部４０と、下側基板１Ｂの溝部１２を覆う矩形状の蓋部４１と、蓋部４１の上下両端部のそれぞれを直角に屈曲して溝部１２内に入り込むようにした二股状の支承部４２と、蓋部４１の前面に開設され施錠杆移動用部材２５の係合部２５ｂを突出させるための矩形状の案内開口４３と、案内開口４３の一側縁に起立し施錠杆移動用部材２５を摺動させる案内片４４と、蓋部４１の前端から直角に延出するシリンダ取付部４５と、シリンダ取付部４５に固着されるパチンコ用シリンダ錠４６Ａ又はスロット用シリンダ錠４６Ｂと、シリンダ錠４６Ａ又は４６Ｂの錠軸４６ａ又は４６ｂに取着される二股状の爪部を有する係合部材４７とによって構成されている。さらに、図１中、シリンダ錠ユニット３９の上に示されている側面視Ｌ字型の部材は、支持基板１を上側基板１Ａと下側基板１Ｂに分割すると共に、施錠ロッド２を上側ロッド２Ａと下側ロッド２Ｂに分割して使用する際に必要となるロッドレバー４８である。このロッドレバー４８には、内周部に雌螺子が形成されているロッド取着用孔４９が形成されており、ここに上側ロッド２Ａ下端部の雄螺子２３Ａを螺合することにより上側ロッド２Ａに取着できるようになっている。なお、ガイド部材３０の支承部３ｂ、前面扉開閉センサー３７の支承部３７ｂ、シリンダ錠ユニット３９の支承部４２は、いずれも下側基板１Ｂの溝部１２内に遊嵌されて下側ロッド２Ｂを支承する役割を果たすことになる。また、これら構成部材を取着するにあたり、これらの支承部を支持基板１の溝部１２内に遊嵌させ、且つ施錠ロッド２に支承させればよいようにしたことによって、これらの構成部材の取着位置を自由に変更させることができると共に、取り付けもきわめて簡単になし得ることになる。
【００１８】
施錠装置Ｒは、上記の構成部材からなり、装着する遊技機に応じて、施錠装置Ｒ自体の形態を異ならせ、且つ必要な構成部材を取捨選択的に使用することができる。そこで、以下、複数種の遊技機と共に、その異なる使用形態の施錠装置Ｒについて説明する。
【００１９】
図２は、遊技機の一例としてのパチンコ球技機Ｐ１であり、まず、このパチンコ遊技機Ｐ１の簡単な構成を説明し、次いで、これに装着する施錠装置Ｒ１を説明する。パチンコ遊技機Ｐ１は、図２に示されているように、遊技機本体５０と、前面扉５１とによって概略構成されており、このうち、遊技機本体５０は、縦長な方形状に枠組み形成される外枠５２と、外枠５２の一側にヒンジ機構によって開閉自在に装着される本体枠５３とからなっている。そして、本体枠５３の前面一側に前面扉５１がヒンジ機構によって開閉自在に装着されている。
【００２０】
前記前面扉５１は、上下に配置される上枠部材５５及び下枠部材５６、左右に配置される側枠部材５７，５７を組み合わせることで縦長な方形枠状に形成されている。また、前面扉５１の下枠部材５６を除く部分は開放部になっており、図示はしないが該開放部を後方から塞ぐようにして一対の透明板ユニットが装着されることになる。さらに、前面扉５１の下枠部材５６の前面には、図示はしないが球受皿、操作ハンドル等が装着されることになり、また、前面扉５１の周囲前面には、装飾用の合成製樹脂カバーが装着されることになる。さらに、前面扉５１の開放側内側面の上部１箇所と下部２箇所に施錠装置Ｒ１の前面扉用鉤部材３のフック部３ａが係止される係止部５８，５８，５８が固着されている。また、前面扉５１の右下方には、施錠装置Ｒ１のシリンダ錠４６Ａを突出させるための貫通穴５９が開設されている。
【００２１】
前記外枠５２は、上下に配置される上枠板６０及び下枠板６１、左右に配置される側枠板６２，６２を組み合わせることで縦長な方形枠状に形成されている。また、下枠板６１の前方には、合成樹脂製の装飾カバー６３が装着されている。なお、外枠５２の開放側内側面の上部と下部の２箇所に、施錠装置Ｒ１の本体用鉤部材４のフック部４ａが係止される係止部６４，６４が固着されている。
【００２２】
前記本体枠５３は、上下に配置される上囲繞部６５と下囲繞部６６、及び左右の側部囲繞部６７，６７とによって縦長な方形枠状に形成されている。また、本体枠５３の下囲繞部６６の上側に、方形状の遊技盤収納凹部６８が形成されており、この遊技盤収納凹部６８に図示はしないが遊技球を流下させる遊技盤が配設されることになる。そして、この遊技盤の前面には、入賞装置、遊技釘、球誘導レール等が配設され、遊技盤の後側には、球タンク、通路部材、球払出装置、各種制御基板等が配設されることになる。また、下囲繞部材６６には、図示はしないが打球発射装置等が配設されることになる。さらに、本体枠５３の右下方には、図示はしないが施錠装置Ｒ１に取着されるシリンダ錠４６Ａを前方へ突出させるための開口が穿設されている。なお、本体枠５３の右側の側部囲繞部６７は、その後側部分６７ｂを前側部分６７ａよりも一段内方に位置する段差状に形成して施錠装置Ｒ１の装着部を形成し、ここに施錠装置Ｒ１を装着している。また、右側の側部囲繞部６７の前側部分６７ａと後側部分６７ｂの境界部付近であり、上下方向の３箇所に図示はしないが施錠装置Ｒ１の前面扉用鉤部材３のフック部３ａを前方へ突出させるためのスリットが開設されている。
【００２３】
そして、このパチンコ遊技機Ｐ１に装着される施錠装置Ｒ１は、図３に示されているように、上側基板１Ａと下側基板１Ｂを連結板１Ｃによって連結した支持基板１と、上側ロッド２Ａと下側ロッド２Ｂを連結筒２Ｃによって連結した施錠ロッド２と、上側基板１Ａの上方であり且つ上側ロッド２Ａにそれぞれ１つずつ取着される前面扉用鉤部材３及び本体用鉤部材４と、下側基板１Ｂの中間部と下方であり且つ下側ロッド２Ｂに取着される２つの前面扉用鉤部材３と、下側基板１Ｂの下方であり且つ下側ロッド２Ｂに取着される１つの本体用鉤部材４と、施錠ロッド２を付勢するための３つの圧縮バネ５，５，５と、施錠ロッド２の抜け止めとしての役割と前面扉用鉤部材３及び本体用鉤部材４の双方を移動させる役割を有する３つのＥリング６によって構成されている。また、施錠装置Ｒ１では、選択的な構成部材として、図１に示されている下側基板１Ｂの２つの前面扉用鉤部材３，３の間に固着されるシリンダ錠ユニット３９が装着されている。
【００２４】
ここで、施錠装置Ｒ１を組み立てる手順について説明すると、まず、施錠装置Ｒ１の上側若しくは下側を組み立てる。施錠装置Ｒ１の上側を組み立てるには、上側基板１Ａに前面扉用鉤部材３、本体用鉤部材４、及び圧縮バネ５を１つずつセットする。具体的には、上側基板１Ａの上方にある軸受部１３ａと１３ｂの間に前面扉用鉤部材３、本体用鉤部材４、及び圧縮バネ５を載置する。この時、前面扉用鉤部材３の支承部３ｂを上側基板１Ａの溝部１２に遊嵌させると共に、フック部３ａが下向きでフック部用凹部１５から前方に突出するように配置する。次いで、本体用鉤部材４の支承部４ｂを先に載置した前面扉用鉤部材３の二股状の支承部３ｂ，３ｂ間に位置するように上側基板１Ａの溝部１２に遊嵌させると共に、フック部４ａが上向きでフック部用凹部１６から後方へ突出するように配置する。さらに、上側基板１Ａの溝部１２であって載置した前面扉用鉤部材３の下側の支承部３ｂと載置した本体用鉤部材４の支承部４ｂの下端の間に圧縮バネ５を載置する。次に、上側ロッド２Ａをセットする。具体的には、上側ロッド２Ａを上側基板１Ａの軸受部１３ａ，１３ｂ，１３ｃに挿通する。この時、上側ロッド２Ａをすでに載置している圧縮バネ５にも挿通する。こうすると、上側ロッド２Ａは、前面扉用鉤部材３の支承部３ｂ，３ｂ及び本体用鉤部材４の支承部４ｂに当接することになる。そして、上側ロッド２Ａの上方、具体的には、上側基板１Ａの溝部１２の上方に載置した前面扉用鉤部材３の上側の支承部３ｂと本体用鉤部材４の支承部４ｂ上端の間に位置するようにＥリング６を固着する。さらに、本体用鉤部材４の長孔２８にネジ２７を挿通し上側基板１Ａの螺子挿通孔１７に螺着する。そして、上側ロッド２Ａの下端部の雄螺子２４Ａに連結筒２Ｃを螺着しておく。
【００２５】
施錠装置Ｒ１の下側を組み立てるには、下側基板１Ｂに２つの前面扉用鉤部材３，３、１つの本体用鉤部材４、及び２つの圧縮バネ５，５をセットする。具体的には、下側基板１Ｂの中間にある軸受部１３ｅの上部に前面扉用鉤部材３の下側の支承部３ｂが位置するように載置する。この時、前面扉用鉤部材３の支承部３ｂを下側基板１Ａの溝部１２に遊嵌させると共に、フック部３ａが下向きでフック部用凹部１５から前方に突出するように配置する。こうすると、前面扉用鉤部材３の２つの支承部３ｂ，３ｂ間に下側基板１Ｂの軸受部１３ｇが位置することになる。そして、下側基板１Ｂの軸受部１３ｅと軸受部１３ｇの間に圧縮バネ５を載置する。次に、下側基板１Ｂの下方にある軸受部１３ａと１３ｂの間に前面扉用鉤部材３、本体用鉤部材４、及び圧縮バネ５を載置する。この時、前面扉用鉤部材３の支承部３ｂを上側基板１Ａの溝部１２に遊嵌させると共に、フック部３ａが下向きでフック部用凹部１５から前方に突出するように配置する。次いで、本体用鉤部材４の支承部４ｂを先に載置した前面扉用鉤部材３の二股状の支承部３ｂ，３ｂ間に位置するように下側基板１Ｂの溝部１２に遊嵌させると共に、フック部４ａが上向きでフック部用凹部１６から後方へ突出するように配置する。さらに、下側基板１Ｂの溝部１２であって載置した前面扉用鉤部材３の下側の支承部３ｂと本体用鉤部材４の支承部４ｂの下端の間に圧縮バネ５を載置する。次に、下側ロッド２Ｂをセットする。具体的には、下側ロッド２Ｂを下側基板１Ｂの軸受部１３ｄ，１３ｅ，１３ｆに挿通する。この時、下側ロッド２Ｂをすでに載置している圧縮バネ５，５にも挿通する。こうすると、下側ロッド２Ｂは、前面扉用鉤部材３の支承部３ｂ，３ｂ及び本体用鉤部材４の支承部４ｂに当接することになる。そして、下側ロッド２Ｂの下方、具体的には、下側基板１Ｂの溝部１２の下方に載置した前面扉用鉤部材３の上側の支承部３ｂと本体用鉤部材４の支承部４ｂ上端の間に位置するように下側ロッド２ＢにＥリング６を固着する。さらに、本体用鉤部材４の長孔２８にネジ２７を挿通し下側基板１Ｂの螺子挿通孔１７に螺着する。
【００２６】
そして、上側基板１Ａと下側基板１Ｂを連結板１Ｃによって連結する。具体的には、上側基板１Ａの連結用孔１８Ａと連結板１Ｃの連結用孔２２Ａ、下側基板１Ｂの連結用孔１８Ｂと連結板１Ｃの連結用孔２２Ｂとを合致させ、これら連結用孔に係止部材としての螺子２４，２４を螺着することにより、上側基板１Ａと下側基板１Ｂとを連結することができる。今度は、既に上側ロッド２Ａ下端部の雄螺子部２３Ａに螺着してある連結筒２Ｃに下側ロッド２Ｂ上端部の雄螺子部２３Ｂを螺着する。これにより、施錠装置Ｒ１の上側と下側が合体する。なお、前記のとおり、連結板１Ｃを介して上側基板１Ａと下側基板１Ｂを連結させるようにしたことから、連結した上側基板１Ａと下側基板１Ｂは、同一面内に位置することになる。従って、上側ロッド２Ａと下側ロッド２Ｂを連結した施錠ロッド２は、支持基板１に対して、真っ直ぐに軸支されることになる。最後に、シリンダ錠ユニット３９を下側基板１Ｂに取着する。具体的には、シリンダ錠ユニット３９の支承部４２を下側基板１Ｂの溝部１２内に遊嵌し、取付部４０を下側基板１Ｂに螺着する。このように、シリンダ錠ユニット３９を下側基板１Ｂに取着すると、シリンダ錠４６Ａの錠軸４６ａに固着されている係合部材４７の二股状の爪部間に下側ロッド２Ｂに固着されている施錠杆移動用部材２５が位置することになる。なお、組み立てられた施錠装置Ｒ１は、パチンコ遊技機Ｐ１の本体枠５３であり右側の側部囲繞部６７の取着部６７ｂに宛てがい、支持基板１の複数箇所に穿設された装着用孔６９，６９・・・に螺子を挿入して螺着する。
【００２７】
次に、施錠装置Ｒ１の操作方法及び作用について説明する。まず、図２に示されているように、パチンコ遊技機Ｐ１の本体枠５３と前面扉５１の双方が開放されている状態において、これらを閉止し且つ施錠する場合であるが、本体枠５３を外枠５２にそのまま押し込むことで閉止することができる。すなわち、本体枠５３を外枠５２に向けて押すと、本体用鉤部材４のフック部４ａが外枠５２の係止部６４の前縁に当接する。この時、本体用鉤部材４のフック部４ａの先端縁上方がテーパー状になっていることから、それらフック部４ａが係止部６４を摺動しながら圧縮バネ５の付勢に抗しつつ徐々に押し下げられる。そして、フック部４ａが係止部６４を下方から越えると、本体用鉤部材４は圧縮バネ５より上方へ移動するため、そのフック部４ａが係止部６４に係止され、本体枠５３が外枠５２に施錠されることになる。同様に、前面扉５１を本体枠５３に対して閉止する場合も、前面扉５１を本体枠５３にそのまま押し込むことで閉止することができる。すなわち、前面扉５１を本体枠５３に向けて押すと、前面扉用鉤部材３のフック部３ａが前面扉５１の係止部５８の前縁に当接する。この時、前面扉用鉤部材３のフック部３ａの先端縁下方がテーパー状になっていることから、それらのフック部３ａが係止部５８を摺動しながら圧縮バネ５の付勢に抗しつつ徐々に押し上げられる。そして、フック部３ａが係止部５８を乗り越えると、前面扉用鉤部材３は圧縮バネ５の付勢力により下方へ移動するため、そのフック部３ａが係止部５８に係止され、前面扉５１が本体枠５３に施錠されることになる。
【００２８】
一方、本体枠５３を開錠し、外枠５２から開放する場合について説明すると、まず、シリンダ錠４６Ａの鍵孔にキーを差し込んで時計回り方向へとキーを回転させる。これによって、シリンダ錠４６Ａの錠軸４６ａと共に係合部材４７が回転し、係合部材４７がこれと係合している施錠杆移動用部材２６を押し下げ、同時に施錠ロッド２も下動する。さらに、施錠ロッド２の下動に伴い、施錠ロッド２に固着されているＥリング６が本体用鉤部材４，４の支承部４ｂの上端を押し下げるため、本体用鉤部材４，４も下方へ移動し、本体用鉤部材４，４のフック部４ａが外枠５２の係止部６４から外れ、本体枠５３を外枠５２から開放することができる状態になる。なお、本体枠５３が外枠５２から開放されると、圧縮バネ５，５の付勢力によって本体用鉤部材４の支承部４ｂの下端が上側へ押圧されるため、本体用鉤部材４も上側へ移動し元の位置に戻る。
【００２９】
他方、前面扉５１を開錠し、本体枠５３から開放する場合、パチンコ遊技機Ｐ１の前面に位置するシリンダ錠４６Ａの鍵孔にキーを差し込んで反時計回り方向へとキーを回転させる。これによって、シリンダ錠４６Ａの錠軸４６ａと共に係合部材４７が回転し、係合部材４７がこれと係合している施錠杆移動用部材２６を押し上げ、同時に施錠ロッド２も上動する。さらに、施錠ロッド２の上動に伴い、施錠ロッド２に固着されているＥリング６が前面扉用鉤部材３，３，３の上側の支承部３ｂを押し上げるため、前面扉用鉤部材３も上方へ移動し、前面扉用鉤部材３のフック部３ａが前面扉５１の係止部５８から外れ、前面扉５１を本体枠５３から開放することができる状態になる。なお、前面扉５１が本体枠５３から開放されると、圧縮バネ５，５，５の付勢力によって前面扉用鉤部材３の下側の支承部３ｂが下側へ押圧されるため、前面扉用鉤部材３も下側へ移動し元の位置に戻る。
【００３０】
図４は、遊技機の一例としてのパチンコ球技機Ｐ２であり、このパチンコ遊技機Ｐ２には、図５に示されている施錠装置Ｒ２が装着される。パチンコ遊技機Ｐ２は、前述のパチンコ遊技機Ｐ１と略同一構成であり、両者の相違は、パチンコ遊技機Ｐ２では、シリンダ錠ユニット７０が前面扉５１側に設けられている点である。具体的には、パチンコ遊技機Ｐ２は、シリンダ錠ユニット７０が前面扉５１の開放側の下方に設けられている。すなわち、シリンダ錠７２をその先端部が前方へ突出するようにコ字型のベース７１に固着し、このベース７１を前面扉５１の後面側（裏側）に固着している。また、シリンダ錠７２の錠軸７３に二股状の爪部を有する係合部材７４が固着されている。なお、図４では、パチンコ遊技機Ｐ２がＰ１と共通している構成部分に同一符号を付してある。
【００３１】
また、施錠装置Ｒ２も、前述の施錠装置Ｒ１と共通部分が多く、両者の相違は、施錠装置Ｒ２では、施錠装置Ｒ１で選択されたシリンダ錠ユニット３９を装着しておらず、ガイド部材３０を選択している点である。すなわち、施錠装置Ｒ２は、下側基板１Ｂにガイド部材３０を取着している。具体的には、ガイド部材３０の支承部３ｂを下側基板１Ｂの溝部１２内に遊嵌し、ガイド部材３０の取付部３１を下側基板１Ｂに螺着している。このように、ガイド部材３０を下側基板１Ｂに取着すると、下側ロッド２Ｂに固着されている施錠杆移動用部材２６がガイド部材３０の案内開口３４内に位置することになる。なお、施錠装置Ｒ２の操作方法及び作用についても、施錠装置Ｐ１と略同じであり、異なるのは、パチンコ遊技機Ｐ２の前面扉５１を本体枠５３に閉止すると、前面扉５１側にあるシリンダ錠７２に固着されている係合部材７４が本体枠５３側の施錠装置Ｒ２の施錠杆移動用部材２６に係合し、キーの操作により、この施錠杆移動用部材２６が施錠ロッド２を上下動させる点である。
【００３２】
図６は、遊技機の一例としてのスロットマシンＳ１であり、このスロットマシンＳ１には、図７に示されている施錠装置Ｒ３が装着される。そこで、まず、このスロットマシンＳ１の簡単な構成を説明する。
【００３３】
スロットマシンＳ１は、図６に示されているように、遊技機本体１００と、この遊技本体１００の前面一側にヒンジ機構によって開閉自在に装着される前面扉１０１とによって構成されている。このうち、遊技機本体１００は、金属製の板材により前面が開口する直方体形状に形成されている。そして、この遊技機本体１００の内部には、図示はしないが、高さ方向中央に支持棚板が取り付けられ、この支持棚板にリールユニットが載置されることになる。また、支持棚板の下方には、電源装置、遊技メダル貯留ホッパ等のスロットマシン用機器が配設されることになる。なお、遊技機本体１００の開放側内側面には、その上方と下方のそれぞれに施錠装置Ｒ３の本体用鉤部材４のフック部４ａが係止される係止部１０２，１０２が固着されている。他方、前面扉１０１は、遊技機本体１００の前面開口を略覆う板状に形成されており、図示はしないが、その前側にコイン投入口、操作ボタン、スピーカ、液晶表示装置等が組み付けられることになる。また、前面扉１０１の開放側端部であり、前面扉１０１の後面に後方（前面扉１０１と直交する方向）へ延出された板状の装着部が形成されており、ここに施錠装置Ｒ３が装着されている。
【００３４】
前記施錠装置Ｒ３は、図７に示されているように、前述の施錠装置Ｒ１及びＲ２同様、支持基板１として上側基板１Ａと下側基板１Ｂを連結板１Ｃによって連結していると共に、施錠ロッド２として上側ロッド２Ａと下側ロッド２Ｂを連結筒２Ｃによって連結している。また、上側基板１Ａの上方であり且つ上側ロッド２Ａに取着される本体用鉤部材４と、下側基板１Ｂの下方であり且つ下側ロッド２Ｂに取着される１つの本体用鉤部材４と、下側基板１Ｂの上方に固着されるシリンダ錠ユニット３９と、施錠ロッド２を付勢するための４つの圧縮バネ５，５・・・と、施錠ロッド２の抜け止めとしての役割と本体用鉤部材４及び前面扉開閉センサー３７を移動させる役割を有する３つのＥリング６，６，６を備えている。また、施錠装置Ｒ３では、選択的な構成部材として、図１に示されている前面扉開閉センサー３７、及びシリンダ錠ユニット３９が装着される。また、シリンダ錠ユニット３９には、スロット用シリンダ錠４６Ｂが固着されている。
【００３５】
そして、施錠装置Ｒ３を操作する、すなわち、スロットマシンＳ１の前面扉１０１が遊技機本体１００に閉止されている状態から開放状態にするためには、シリンダ錠４６Ｂの鍵孔にキーを差し込んで時計回り方向へとキーを回転させる。これによって、シリンダ錠４６Ｂの係合部材４７がこれと係合している施錠杆移動用部材２５を押し下げ、同時に施錠ロッド２も下動する。さらに、施錠ロッド２の下動に伴い、施錠ロッド２に固着されているＥリング６が本体用鉤部材４，４の支承部４ｂの上端を押し下げるため、本体用鉤部材４，４も下方へ移動し、本体用鉤部材４，４のフック部４ａが遊技機本体１００の係止部１０２から外れ、前面扉１０１を遊技機本体１００から開放することができる状態になる。
【００３６】
図８は、遊技機の一例としてのスロットマシンＳ２であり、このスロットマシンＳ２には、図９に示されている施錠装置Ｒ４が装着される。なお、このスロットマシンＳ２は、前述のスロットマシンＳ１と同一構成の遊技機本体１１０に、上側扉１１１Ａと下側扉１１１Ｂに２分割された前面扉１１１を開閉自在に装着して構成されている。なお、遊技機本体１１０の開放側内側面には、施錠装置Ｒ４の本体用鉤部材４のフック部４ａが係止される係止部１１２，１１２・・・が適宜間隔を離して４つ固着されている。また、上側扉１１１Ａの後面の開放側端部と下側扉１１１Ｂの後面の開放側端部のそれぞれに、後方（前面扉１１１と直交する方向）へ延出された板状の装着部が形成されており、ここに施錠装置Ｒ４が装着されている。
【００３７】
前記施錠装置Ｒ４は、Ｒ１〜Ｒ３と異なり、上側基板１Ａと下側基板１Ｂが連結板１Ｃによって連結されておらず、支持基板１を上側基板１Ａと下側基板１Ｂに分割した状態で使用する。また、施錠ロッド２も、上側ロッド２Ａと下側ロッド２Ｂが連結筒２Ｃによって連結されておらず、上側ロッド２Ａと下側ロッド２Ｂに分割した状態で使用する。その他の点では、前述の施錠装置Ｒ３と略同一の構成であり、異なるのは、施錠装置Ｒ４では、上側ロッド２Ａ下端部にロッドレバー４８を取着している点、上側ロッド２Ａと下側ロッド２Ｂのそれぞれに２つずつ本体用鉤部材４を装着している点である。
【００３８】
そして、施錠装置Ｒ４を操作する、すなわち、スロットマシンＳ２の上側扉１１１Ａと下側扉１１１Ｂが遊技機本体１１０に閉止されている状態から開放状態にするためには、まず、シリンダ錠４６Ｂの鍵孔にキーを差し込んで時計回り方向へとキーを回転させて、下側扉１１１Ｂを開放する。そして、上側扉１１１Ａも開放させる必要がある場合には、ロッドレバー４８を手で下方へ押し下げる。こうすると、上側ロッド２Ａが下動し、本体用鉤部材４，４も下方へ移動し、本体用鉤部材４，４のフック部４ａが遊技機本体１１０の係止部１１２から外れ、上側扉１１１Ａを遊技機本体１１０から開放することができる状態になる。
【００３９】
なお、上記実施の形態では、施錠装置をパチンコ遊技機の本体枠とスロットマシンの前面扉に装着した例を示したが、これに限られるわけではなく、遊技機本体に装着することも当然可能である。また、上記実施の形態では、施錠杆が丸棒状の施錠ロッドである例を示したが、これに限られず、例えば、板状のものであっても良い。また、上記実施の形態では、鉤部材のフック部を移動させるフック部用凹部を設けた例を示したが、これを設ける箇所は限定されないことは勿論、必ずしも設けなければならないものでもない。さらに、鉤部材の取付箇所や取付個数についても、上記実施の形態の例に示されたものに限定されるわけではなく、任意である。
【００４０】
以上述べたとおり、本発明に係る施錠装置は、支持基板が上側基板と下側基板とからなり、これらを連結部材によって着脱自在にしていると共に、施錠杆も上側杆と下側杆とからなり、これも連結部材によって着脱自在にしていることから、前面扉が上下に２分割されているタイプのものにも対応可能である。また、上側基板と下側基板を連結する場合において、連結部材を介在させるようにしたことから、連結した上側基板と下側基板が互いに同一平面上に位置することになり、ひいては、支持基板に設けられた施錠杆を円滑に上下動させることができる。また、鉤部材を含めた各種構成部材を装着するにあたり、これら構成部材の支承部を施錠杆に当接させ、且つ支持基板の溝部に遊嵌させればよいので、これら構成部材の取付個数や取付箇所を自由に変更することができる。さらに、装着すべき構成部品を自由に取捨選択することができる。
【符号の説明】
【００４１】
Ｒ        施錠装置
１        支持基板
１Ａ      上側基板
１Ｂ      下側基板
１Ｃ      連結板（連結部材）
２        施錠ロッド（施錠杆）
２Ａ      上側ロッド（上側杆）
２Ｂ      下側ロッド（下側杆）
２Ｃ      連結筒（連結部材）
３        前面扉用鉤部材（鉤部材）
３ａ      フック部
３ｂ      支承部
４        本体用鉤部材（鉤部材）
４ａ      フック部
４ｂ      支承部
５        圧縮バネ（弾性部材）
１２      溝部
【図１】
2018114150.tif 000003
【図２】
2018114150.tif 000004
【図３】
2018114150.tif 000005
【図４】
2018114150.tif 000006
【図５】
2018114150.tif 000007
【図６】
2018114150.tif 000008
【図７】
2018114150.tif 000009
【図８】
2018114150.tif 000010
【図９】
2018114150.tif 000011